(57)【要約】【課題】改良された冷凍庫ファン装置を提供する。【解決手段】冷凍庫ファン装置は、ファンロータ１２を含むファンモータ１０を備える。ファンモータ１０は、冷凍庫ハウジング２０，２２の表面にあるか又は冷凍庫ハウジング２０，２２内にあり、空気入口１６と、冷凍庫熱交換器１５および／または冷凍庫圧縮機１４と、空気出口１８との間の空気ダクト内において設けられることが可能である。ファンモータ１０は、冷凍庫の機器に給電線および／または制御線を介して接続自在である。ファンモータ１０は、動作温度信号および／または使用冷却空間温度信号の関数として動作速度が制御されるか又は制御可能である、速度制御自在なブラシレス直流モータとして実現されていることを特徴とする。【選択図】図１
2020507702.tif 000002
【特許請求の範囲】
【請求項１】
冷凍庫のファン装置、特には超低温冷凍庫用の冷凍庫ファン装置であって、
ファンロータ（１２）を含み、冷凍庫ハウジング（２０，２２）の表面にあるか又は当該冷凍庫ハウジング（２０，２２）内にあるファンモータ（１０）であって、空気入口（１６）と、冷凍庫熱交換器（１５）と冷凍庫圧縮機（１４）のいずれか一方または両方と、空気出口（１８）との間の空気ダクト内において設けられることが可能な、ファンモータ（１０）、
を備え、前記ファンモータ（１０）は、前記冷凍庫の機器、特には前記冷凍庫圧縮機と冷凍庫制御電子機器のいずれか一方または両方に、給電線と制御線のいずれか一方または両方を介して接続自在である、冷凍庫ファン装置において、
前記ファンモータ（１０）は、動作温度信号と使用冷却空間温度信号のいずれか一方または両方、特には、割り当てられた又は割り当てられることが可能な前記冷凍庫圧縮機の動作温度信号と使用冷却空間温度信号のいずれか一方または両方の関数として動作速度が制御されるか又は制御可能である、速度制御自在なブラシレス直流モータとして実現されていることを特徴とする、冷凍庫ファン装置。
【請求項２】
請求項１に記載の冷凍庫ファン装置において、さらに、
前記動作温度信号と使用冷却空間温度信号のいずれか一方または両方を生成するように、前記冷凍庫の使用冷却空間に割り当てられた、温度センサ手段（２６）、
を備えることを特徴とする、冷凍庫ファン装置。
【請求項３】
請求項２に記載の冷凍庫ファン装置において、前記温度センサ手段（２６）が、前記冷凍庫圧縮機の動作を制御する圧縮機制御電子部（３０）に割り当てられていることを特徴とする、冷凍庫ファン装置。
【請求項４】
請求項１から３のいずれか一項に記載の冷凍庫ファン装置において、前記ファンモータの直流動作電圧が、前記冷凍庫圧縮機に割り当てられた又は割り当てられることが可能なモータ電子機器（３８）により生成可能であるか又は当該モータ電子機器（３８）から導き出すことが可能であることを特徴とする、冷凍庫ファン装置。
【請求項５】
請求項４に記載の冷凍庫ファン装置において、前記モータ電子機器が、印加された電源網交流電圧を仲介直流電圧に電圧変換する手段（３８）を含み、好ましくは力率改善の手段をさらに含み、
前記仲介直流電圧は、前記ファンモータの前記直流動作電圧を生成するように配線されていることを特徴とする、冷凍庫ファン装置。
【請求項６】
請求項１から５のいずれか一項に記載の冷凍庫ファン装置において、さらに、
割り当てられた又は割り当てられることが可能な前記冷凍庫圧縮機に作用する遅延手段であって、起動信号と動作開始信号のいずれか一方または両方に応答して、前記ファンモータが、前記冷凍庫圧縮機の起動よりも所定時間前に起動されることを可能にするように構成された、遅延手段、
を備えることを特徴とする、冷凍庫ファン装置。
【請求項７】
請求項６に記載の冷凍庫ファン装置において、前記遅延手段は、前記所定時間が1秒〜360秒、好ましくは2秒〜30秒、さらに好ましくは3秒〜10秒であるように構成され、さらに、または代わりに、設計されていることを特徴とする、冷凍庫ファン装置。
【請求項８】
請求項１から７のいずれか一項に記載の冷凍庫ファン装置において、さらに、
前記ファンモータ（１０）に割り当てられて速度の検出と監視のいずれか一方または両方を行う速度検出・監視手段であって、特には前記動作温度と使用冷却空間温度のいずれか一方または両方に対する前記動作速度の予め定められた又は予め定められることが可能な比又は比範囲について、当該比が、比閾値を超えているか又は比閾値に達しないことに応答して動作不良を検出し、あるいは、さらに又は代わりに、表示するように構成された、速度検出・監視手段（３２）、
を備えることを特徴とする、冷凍庫ファン装置。
【請求項９】
超低温冷凍庫（２０）であって、
少なくとも１つの冷凍庫圧縮機（１４）と、
前記冷凍庫圧縮機及び当該冷凍庫の冷却回路熱交換器（１５）に割り当てられた、請求項１から８のいずれか一項に記載の冷凍庫ファン装置と、
公共電源網に接続されるように設計された電圧供給機器（３８）であって、商用電源公称交流電圧としての85 V〜264 V、特には100 V〜230 Vの商用電源交流電圧用に構成され、前記冷凍庫ファン装置の直流動作電圧を提供する、電圧供給機器（３８）と、
を備える、超低温冷凍庫（２０）。
【請求項１０】
請求項９に記載の冷凍庫において、前記冷凍庫ファン装置は、冷却される前記使用冷却空間の目標冷却温度での当該冷凍庫の冷却モード時の前記ファンモータの前記動作速度が、前記冷凍庫圧縮機による前記使用冷却空間の冷却途中のファン速度に比べて低減されるように、特には連続的に及び／又は好適な比例制御曲線に従って低減させられたものとなるように又は低減されるように、設計及び構成されていることを特徴とする、冷凍庫。
【発明の詳細な説明】
【技術分野】
【０００１】
本発明は、請求項１の前提部に係る冷凍庫ファン装置に関する。本発明は、さらに、このようなファン装置を備える超低温冷凍庫に関する。
【背景技術】
【０００２】
冷凍庫、特に超低温（ＵＬＴ）冷凍庫（すなわち、−40℃未満、典型的には-60℃未満から-80℃以下の冷却温度での使用冷却空間用の冷凍庫）に、熱交換器（凝縮器）で熱力学的プロセスにより発生したプロセス熱を熱除去し、且つ、使用されている冷凍庫圧縮機（冷凍庫コンプレッサ）を必要ならば冷却するために、ファン装置が設けられることは、先行技術から一般的に知られている。これらのファン装置は、ファンロータを駆動する少なくとも１つのファンモータを典型的に備えるものであるが、空気ダクト（典型的に、冷凍庫ハウジングの底又はその底領域内にある）に適宜設けられており、空気入口から入った空気を凝縮器及び圧縮機を通って空気出口に案内する。これにより、各ユニットの動作状態は冷却モードにとって好適かつ必要なものとなる。
【０００３】
この種の冷凍庫は、一般的であると考えられ且つ一般的に知られており、産業目的や研究目的に通常利用され、これらの装置の典型的な用途は長期にわたる冷凍である。冷却対象物として適宜用意される生体試料や医療検体（あるいは、この種の内容物）は、例えば法的要件を遵守する目的で、典型的に上記の目標温度（超低温）で数週間又は数ヶ月にわたって保管される。
【発明の概要】
【発明が解決しようとする課題】
【０００４】
電気エネルギー消費および圧縮機、ならびに熱交換器の冷却や熱除去に用いられるファンモータに加えて、これらのファンモータが特に連続動作時に発する騒音の重大性がますます高まっている。一般的なファン装置が典型的に設けられている冷凍庫システムでは、当該冷凍庫システムの場所にもよるが、特に冷凍庫圧縮機（通常、いわゆるカスケードの形態で配置された複数の圧縮機）が目標温度又はその付近での定常（連続）冷却モードにおける低減した冷却出力又は低減した圧縮機モータ速度で動作しているときに（この種の圧縮機はしばしば追加で遮音されているにもかかわらず）、その種のファン装置のファン音が煩わしいと感じられることがしばしばある。この場合、（典型的に、交流モータとして設計されて一定速度で駆動される）ファンモータ自体が煩わしい音を発するだけでなく、ファンロータの羽根であって、典型的に約1300〜1400 min-1の速度で駆動されて空気流を生じさせる羽根も、煩わしい音（いわゆるファン先端音、すなわち、ファン羽根により生じるシュッという音）を発生させる。一般的なファンモータ自体は通常、速度制御やＲＰＭ制御なしで駆動されるものであり（特に、一般的に使用されるモータは例えばコスト上の理由等から速度制御が容易に可能でないため）、かつ、ファンモータの動作は典型的に、割り当てられている圧縮機の制御に伴って行われる（すなわち、ファンモータは冷凍庫圧縮機と常に同期して駆動される）ので、圧縮機の動作の間、ファンモータの動作及び付随する音発生は、基本的に高い音レベルのまま継続する。
【０００５】
しかも、典型的に閉ループ制御されずに単にデジタルでオン／オフされるだけの上記ファンモータには、電気エネルギー消費がつきまとう。ファンは、一般的な当該ファン装置の冷却対象となる熱交換器や圧縮機の熱除去や冷却が実際にどれほど必要なのかに関係なく、公称出力つまり目標出力で駆動される。冷却されるべきその冷却回路の出力ピークを踏まえて、ファン出力及びそれと共にファンモータは典型的に、このような冷却出力ピーク時に当該冷却回路の動作が非効率にならないように寸法がある程度過剰に設定されている。しかし、これは、冷凍庫圧縮機の冷却出力が低下させられた動作状況下での（すなわち、例えば目標冷却温度の定常動作時の）効率の悪化に繋がる。これは、そのような場合であっても冷却回路が熱交換器及びファン装置の最大ファン出力を受けることになり、大きい空気流が流れ続けることによって、（上記のように低減させられた冷却出力動作中の）冷凍庫圧縮機が（もはや）最適な動作温度又は最適な動作点で動作しなくなり圧縮機出力が増加するため、エネルギー効率が減少するからである。
【０００６】
したがって、本発明の目的は、主請求項の前提部に記載されているとおり冷凍庫ファン装置、特に、いわゆる超低温冷凍庫用の冷凍庫ファン装置を、騒音挙動に関して向上させること、さらには特に、ファンモータと当該ファンモータの空気冷却を受ける冷却ユニット（熱交換器、圧縮機）との両方のエネルギー効率が向上した改良されたファン装置を提供することである。必要なハードウェアの量を抑えて構造的に単純に実現できるという点が、特に見受けられる一態様であり、かつ、この種の改良されたファン装置は、異なる動作環境（特には、各国ごとの異なる商用電源公称電圧）でも簡単に且つ高い信頼度で動作されることが確実に可能なものであるのが望ましい。
【課題を解決するための手段】
【０００７】
上記の目的は、主請求項の構成を備える冷凍庫ファン装置により、さらには、この種のファン装置の一用途としての独立請求項９に記載の超低温冷凍庫により達成される。本発明の有利な実施形態は、従属請求項に記載されている。本発明にかかる冷凍庫ファン装置を動作させる方法についても、本発明の範囲内での追加の保護が求められるところ、本願から明白な方法過程は、本発明の一部として開示されているものと見なされるべきである。
【０００８】
本発明にかかる有利な一様式では、まず、ファンモータが、速度制御されるブラシレス直流モータとして実現されている。本発明にかかる特に有利な一様式では、これにより、前記ファンモータの速度が本発明に従って動作温度および／または使用冷却空間温度の関数として制御されることができるだけでなく、前記ＵＬＴ冷凍庫自体を動作させるのに典型的に既に使われているモータ電子機器や安定器電子回路（バラストエレクトロニクス）によって前記ファンモータを特に簡単な様式で動作できるようにして、当該ファンモータの速度を実現することが可能となる。さらに有利な一様式では、前記モータ電子機器や安定器電子回路に典型的に、様々な電源網入力交流電圧を処理する電圧変換手段が設けられており、この種の有利な電圧変換手段の出力において一定の直流電圧を提供することが可能である。当該直流電圧からは、本発明にかかる前記直流モータの動作電圧が生成されるか又は導き出される（必要に応じて、さらに制御される）ことが可能である。
【０００９】
このようにして、本発明は有利なことに、前記ファンモータの速度（ひいては前記ファンモータの電力消費）を、前記（ＵＬＴ）冷凍庫の当該ファンモータにより冷却される機器の実際の動作状態に合わせて調節することができる。前記動作温度および／または使用冷却空間温度は、本発明に従って前記ファンモータの速度に（も）影響を与えるのに極めて好適な制御因子であることが立証された。これによる有利な結果は、圧縮機が目標冷却温度にて温度変動が全くなしで又は僅かのみで動作されている（つまり、定常動作に相当し、圧縮機出力の低下が伴っている可能性がある）ときに、前記ファンの速度も同様に低減させることが可能となり、それに伴い、ファン音及び前記直流ファンモータの電力消費への対応する良好な効果が本発明に従って得られるというものである。実際の動作では、約1300 min-1の最大速度が約300〜400 min-1まで低減させられることができる。これは、典型的なファンモータの電力消費に関して言えば、全負荷時の約30 Wから上記低速範囲での部分負荷時の約2〜3 Wに電力消費が減少することを意味する。反対に、前記冷凍庫圧縮機が高い圧縮機出力で駆動される当該冷凍庫圧縮機の動作モード時には、それに応じた前記ファンモータのファン速度の増加を本発明が確実に制御することで、あらゆる瞬間において理想的な空気搬送状態が生じているようにする。
【００１０】
本発明では、本発明にかかるこのような温度制御が、動作温度信号および／または使用冷却空間温度信号の関数として行われる。一実施形態では、前記動作温度信号および／または使用冷却空間温度信号が、前記冷凍庫の被冷却部分の使用冷却空間に割り当てられてもよい（使用冷却空間に設けられてもよい）温度センサ手段により生成される。代替例として、その圧縮機ハウジングなどにある（少なくとも１つの）前記冷凍庫圧縮機から温度信号を適宜引き出すことも可能である。また、上記の構成に加えて又は上記の構成に代えて、このような温度信号が冷凍庫圧縮機モータのモータ電流又は電機子電流から間接的に取得されてもよく、動作温度および／または使用冷却空間温度に対応するか又は比例する他の信号が相応に使用されてもよい。
【００１１】
また、前記動作温度信号および／または使用冷却空間温度信号が、冷却中および定常冷却モード中の冷却モードについて判断できるように、特には、温度勾配、すなわち、ある期間に前記使用冷却空間つまり前記冷凍庫圧縮機の温度がどのように又はどれほど大きく変化したのかについての情報を含むことができる。
【００１２】
本発明の一実施形態に関連して、特に好ましくは、とにかく既に前記使用冷却空間に設けられている温度センサ（例えば、前記冷凍庫圧縮機（自体）の冷却モードを制御するか又はフィードバック制御するように生成されたセンサ信号を利用するための温度センサ等）が、温度センサ手段として使用される。これにより、前記冷凍庫圧縮機の上流に接続された電子回路により典型的にこれまで処理されているとにかく利用可能なセンサ信号が用いられることができるだけでなく、回避すべきヒートブリッジを形成する余分な線やフィードスルーなどを有する余分なセンサを、前記超低温冷凍庫の絶縁性や温度に敏感な環境内に設ける必要もなくなる。
【００１３】
（少なくとも１つの）前記冷凍庫圧縮機（ただし、好ましくは、カスケードとして設けられた複数の冷凍庫処理装置）及び前記ファンモータの両方についての集積モータ電子回路又は安定器電子回路に関連して、さらに有利には当該電子回路に、様々な（各国の）商用電源電圧環境に対しての汎用性を提供するように且つこのような（公共）電源網への回路フィードバックを抑えるように力率改善（ＰＦＣ）が設けられている。
【００１４】
繊細な動作環境に対して有用となる特に洗練された一実施形態は、一実施形態に従って設けられた遅延手段を備える。当該遅延手段は、ここでも集積電子回路に関連して実現されるのが好ましいものであり、本発明の一実施形態では前記冷凍庫圧縮機に作用して、前記冷凍庫を起動する起動信号又は動作開始信号に応答して前記ファンモータが前記冷凍庫圧縮機の起動よりも先に、より具体的には前記冷凍庫圧縮機の起動よりも所定の時間先に起動されるようにする構成となっている。例えば、この種の好適な一実施形態は上記のようにして実現された冷凍庫装置の動作信頼性に対して大きな効果を有し、前記冷凍庫圧縮機により駆動される冷却回路は好適な超低温のものであればしばしば可燃性の冷媒を含んでいるところ、前記圧縮機の起動で火花が発生した場合に漏れによって爆発の危険性を伴う可能性があるという問題を防ぐことができる。この点に関して、前記冷凍庫圧縮機をオンにするよりも所定の時間先に前記ファンモータを起動するという本発明の一実施形態の解決手段には、漏れたあらゆる冷媒を冷却空気流が除去するか又は少なくとも十分に薄めることで、漏れが生じても、残った混合気はもはや可燃ではなくなるので、爆発の危険性が大幅に軽減されるという効果がある。前記ファンモータの起動からの前記圧縮機の起動のこのような遅延として更に好ましく設定される典型的な時間は約５秒であり、本発明に従って構成される時間は、相応に設置された冷凍庫の構成と動作環境及び条件とに応じてこの遅延をどのように定めるかの指標となる。
【００１５】
特には、本発明のとおりブラシレス直流モータを用いて前記ファンモータを実現することにより、前記ファンモータの動作モードを評価又は監視するための速度比例信号が、（その直流モータを駆動する制御ループを介して、あるいは、モータ制御電子回路の別の戻りチャネルを介して）入手可能になるという選択肢がしばしば提供される。本発明に従って前記ファンモータの（現在の）このような速度信号を評価することにより、動作不良が検出されることが可能となり、例えば動作不良が検出されると、相応に設置された冷凍庫装置の冷却又は圧縮機動作に影響を加えることが可能となる。例えば、本発明にかかるファンモータの起動に応答して、その速度信号を監視することにより、当該モータが意図した速度で動作しているか否かを（例えば、当該速度を電子的に記憶された目標値と比較すること等によって）判定支援し、当該速度が速度閾値に達しない場合には動作不良（例えば、ファンモータの故障、前記空気ダクトの詰まり等）が推測されることができ、エラー報告が出力されたり前記冷凍庫圧縮機の始動が阻止されたりしてもよい。この種のファンモータ速度検出又は監視では、上記の構成に加えて又は上記の構成に代えて、前記ファンモータの速度が本発明に従って検出された前記動作温度および／または使用冷却空間温度と相関させられてもよく、意図された目標値又は目標値範囲からの予め定められたズレが生じると、対応するエラー信号が出力されたり前記冷凍庫へのダメージを回避するように圧縮機動作が停止されたりすることができる。
【００１６】
前記冷凍庫ファン装置はそれ単独で本発明の範囲内の保護を求めているため、好適な使用環境となる冷凍庫ハウジング付き冷凍庫や（少なくとも１つの）前記冷凍庫圧縮機自体が本発明の主題になる必要はないものの、本発明にかかる冷凍庫ファン装置を超低温冷凍庫と共に使用することまでも本発明の好適な実現の一つである。したがって、この種の冷凍庫が本発明にかかるファン装置の使用環境として構成されることを想定している。前記ファン装置は、（単一の）冷却回路に対して作用するものであるのが好ましい。つまり、本発明に係る空気ダクトは空気が流れる部分内に、前記ファンモータや前記ファンロータのほかに前記圧縮機を含むことを意味する。その一方で、極低温を目標温度とする場合に典型的に意図されるように、熱交換器及び冷凍庫圧縮機をそれぞれ備えた複数の冷却回路をカスケード配置した場合には、それに応じて複数のファンモータが使用されるか、あるいは、ここでも単一のファンモータのみが使用されることが考えられる。
【００１７】
本発明は超低温を好適な使用分野として想定しているが、本発明はこのような背景に限定されない。むしろ、本発明にかかる技術及びその実施形態は、他の温度範囲をカバーした冷凍庫に対しても同じく有利に使用することができ、特にエネルギー効率に関する本発明の利点により、モバイル用途や車両に設けられた冷凍庫との関連での用途が好適となり得る。
【００１８】
本発明の他の利点、特徴および詳細は、好適な実施形態についての以下の説明から及び図面から明らかになる。
【図面の簡単な説明】
【００１９】
【図１】熱交換器及び冷凍庫圧縮機と協働して本発明の第１の実施形態を実現する、本発明にかかる冷凍庫ファン装置を示す概略ブロック図である。
【図２】図１のファン装置と冷凍庫圧縮機を含む空気ダクトとを底に形成している、（超低温用に構成された）冷凍庫を示す概略図である。
【発明を実施するための形態】
【００２０】
図１の概略ブロック図が論理的かつ機能的に示すように、さらに、図２の幾何図が示すように、ブラシレス直流モータとして実現されたファンモータ１０であって、ファンロータ１２が取り付けられているファンモータ１０が、熱交換器（凝縮器）１５に対して配置されている。熱交換器１５は、超低温冷却目的用に寸法が設定されており、冷却回路（図示せず）に冷凍庫圧縮機１４と共に配置されている。ファンロータ１２により生成される冷却空気流であって、（図示しない様式でファングリル、フィルタなどにより適宜覆われている）入口１６から入ってきて出口１８に向かって導かれる冷却空気流は、図２に概略的に示す冷凍庫２０の周辺空気環境からのものであり得る。より厳密には、冷凍庫２０の冷凍庫ハウジングの底領域２２内に上記のような空気導通経路１６−１０−１２−１５−１４−１８が形成されている。冷凍庫２０は内部２４を、冷却対象物を収容する使用冷却空間として提供する。この実施形態において当該使用冷却空間は、−80 ℃〜−40 ℃の目標温度の超低温域に維持されることができる。
【００２１】
温度センサ２６が設けられている。この温度センサ２６は、前記使用冷却空間の現在の冷却温度を検出する役割を果たし、 概略図示のように、ファンモータ１０の上流に接続されたファンモータ制御部２８と圧縮機モータ１４の上流に接続された圧縮機制御部３０との両方による動作制御のために評価又は利用されることができる。より厳密に述べると、図示の実施形態では、温度センサ２６により出力された温度信号が、圧縮機１４の冷却出力を前記使用冷却空間内の現在の温度に応じて制御するように圧縮制御部３０により（絶対温度信号として、あるいは、これに代えて又はこれに加えて温度勾配信号として）用いられることが想定される。有利には、このような動作は、目標冷却温度の定常動作モードに達したときなどに、230V（交流）で公称駆動される前記圧縮機モータの圧縮機動作電圧が、（好ましくは、一定の圧縮機速度で）低減させられることにより行われることができる。図２には、ファンモータ制御部２８と圧縮機制御部３０（図１）とが、底領域２２内に設けられた電子モジュール４０の形態で適宜組み合わされることも可能である点が描かれている。
【００２２】
この実施形態に関連して、センサ２６の前記温度信号は、さらに、ファンモータ１０の動作（特には、ファンモータ１０の速度）を現在の温度条件に応じた温度の関数として（あるいは、これに代えて又はこれに加えて温度勾配の関数として）制御するようにファンモータ制御部２８によって用いられる。例えば、本発明では有利なことに、（電力消費が低下させられた）圧縮機１４の動作には、ファン速度の低減による低減したファン出力で十分である。したがって、前記ファンモータ制御部は、速度を最低値に設定する。つまり、このようにして減少したロータ１２の空気流により、圧縮機１４及び熱交換器（凝縮器）１５が引き続き理想的な動作点（動作温度）に保持される。ファンモータ１０の上流に接続された速度検出部３２であって、その検出信号がファンモータ制御部２８で評価されることが可能な速度検出部３２により、センサ２６から提供される（あるいは、圧縮機制御部３０での直接温度制御の様式で出力可能でもある）目標信号を用いて、前記ファンモータの速度制御ループを実現することが可能である。
【００２３】
図１のブロック図には、さらに、速度検出部３２の出力信号が前記ファンモータ制御部に適宜割り当てられた記憶速度パラメータつまり速度目標値と比較されることで、前記ファンモータ又は前記空気ダクトの効果的なエラー検出を実行できる様子も描かれている。例えば、現在の速度検出信号３２が（所定の）制御信号と合致しないか又は所定の範囲を外れて制御干渉に繋がり得る場合には、前記ファンモータの動作不良、あるいは、空気入口１６に設けられたフィルタなどの詰まりが推測されることができ、前記圧縮機モータの起動が制御ライン３４を介して制御部３０により阻止されることができる。
【００２４】
上記の構成に加えて又は上記の構成に代えて、制御ライン３４は、前記冷凍庫の起動に応答して、圧縮機１４が起動されるよりも先に（前記ファンモータ制御部を介して）ファンモータ１０の動作を開始させるために用いられてもよい。ファンモータ制御部２８との関連においてこれは、遅延部が実現されることを意味する。当該遅延部は、制御ライン３４を介して前記圧縮機の遅延させられた起動を引き起こす。これにより、前記圧縮機が起動されるよりも先に前記ファンの空気流を用いて蒸気を除去又は薄めることで、漏れた冷媒による危険性を防止するという前述した目的を果たすことができる。
【００２５】
図１のブロック図には、さらに、エラー又は状態情報を出力するための、構成要素３６の形態の対応する状態又は信号機能が描かれている。入力側には電圧変換部３８が、公共商用電源の様々な（特には、各国の）商用電源交流電圧環境への適合化のために形成されている。力率改善（ＰＦＣ）機能（図示せず）が追加された当該電圧変換部３８は、（50〜60 Hzの典型的な商用電源周波数で）約100〜約240 V（交流）の幅広い入力範囲の商用電源交流電圧を390Vの直流電圧に変換する。本発明の一実施形態において当該直流電圧は、前記ファンモータ制御部を動作させるのにも用いられることができる。
【図１】
2020507702.tif 000003
【図２】
2020507702.tif 000004
【国際調査報告】
2020507702.tif 000005
2020507702.tif 000006
2020507702.tif 000007
2020507702.tif 000008